(57)【特許請求の範囲】
【請求項１】
発光部を有するケースと、
前記ケース内で発光する光源と、
基板と、を備えるとともに、
前記光源からの光を導光する導光板、及び該導光板を固定する導光路を設けた遮光性を有する導光板ホルダ、を有する導光部材が、前記基板に固定され、
前記光源は、前記導光板ホルダの下で前記導光板に相対峙して、前記基板に配置され、前記導光板ホルダは、前記基板上で前記導光板に臨む側を除いて前記光源の側方を囲み、
前記導光板から発せられた光は、前記発光部から前記ケースの外部に出射することを特徴とする電子機器。
【請求項２】
前記導光板ホルダは、光の反射性能を有することを特徴とする請求項１に記載の電子機器。
【請求項３】
前記導光板ホルダは、表示パネルの固定部材を兼ねることを特徴とする請求項１または２に記載の電子機器。
【発明の詳細な説明】
【技術分野】
【０００１】
この発明は、電子機器に関する。
【背景技術】
【０００２】
従来、電子機器において、ケースの一部が光るような意匠を施されたものがある。例えば、透光性を有する材料でできたケースの一部が遮光マスキング部により遮光されており、ケース内のＬＥＤ（Ｌｉｇｈｔ  Ｅｍｉｔｔｉｎｇ  Ｄｉｏｄｅ、発光ダイオード）の光が、ケースのマスキングされていない開口部からケースの外部へ照射されるようにデザインされた電子機器がある。
【先行技術文献】
【特許文献】
【０００３】
【特許文献１】特開２００８−１８５６０４号公報
【発明の概要】
【発明が解決しようとする課題】
【０００４】
しかしながら、従来の電子機器では、複数の開口部がケースに設けられている場合、一つのＬＥＤの光を複数の開口部から均一に照射させることは困難である。複数の開口部から均一に光を照射させるには、ＬＥＤと複数の開口部との間に、光を導く導光板を設け、導光板を介してＬＥＤの光を複数の開口部へ導く（導光する）ことが考えられる。しかし、そのような導光板を設けるためには、導光板を固定するための部材が必要になる、という問題点がある。更に、導光板に入射された光が開口部以外に漏れてしまうことを防ぐために、当該導光板の開口部以外を塞ぐための遮光部材も必要になってしまう、という問題点がある。
【０００５】
開示の技術は、上記に鑑みてなされたものであり、導光板を固定するための部材、及び導光板からの光の漏れを防ぐための部材とを別個に設けることによるケースの大型化を防ぐことができる電子機器を提供することを目的とする。
【課題を解決するための手段】
【０００６】
この電子機器は、発光部を有するケースと、ケース内で発光する光源と、基板と、を備
える。光源からの光を導光する導光板、及び導光板を固定する導光路を設けた遮光性を有する導光板ホルダ、を有する導光部材が、基板に固定される。導光板から発せられた光は、発光部からケースの外部に出射する。光源は、導光板ホルダの下で導光板に相対峙して、基板に配置され、導光板ホルダは、基板上で導光板に臨む側を除いて光源の側方を囲む。
【発明の効果】
【０００７】
この電子機器によれば、ケースに導光板を固定するための部材、及び導光板からの光の漏れを防ぐための部材とを別個に設けることによるケースの大型化を防ぐことができるという効果を奏する。
【図面の簡単な説明】
【０００８】
【図１】図１は、実施例にかかる電子機器を示す斜視図である。
【図２】図２は、図１の切断線Ａ−Ａ’における要部断面図である。
【図３】図３は、実施例にかかる電子機器の導光部材を示す斜視図である。
【図４】図４は、実施例にかかる電子機器の導光板ホルダを示す斜視図である。
【図５】図５は、実施例にかかる電子機器のケースを示す分解斜視図である。
【図６】図６は、実施例にかかる電子機器の導光部材を取り外した状態を示す正面図である。
【図７】図７は、実施例にかかる電子機器の導光部材を取り付けた状態を示す正面図である。
【発明を実施するための形態】
【０００９】
以下に添付図面を参照して、この電子機器の好適な実施の形態を詳細に説明する。電子機器は、光源からの光を導光する導光板と、導光板を固定する導光路を設けた導光板ホルダと、を有する導光部材を備えている。以下の各実施例の説明においては、同様の構成要素には同一の符号を付して、重複する説明を省略する。
【００１０】
（実施例１）
図１は、実施例にかかる電子機器の斜視図である。図１に示すように、電子機器１は、ケース２を備えている。ケース２には、発光部３が設けられている。
【００１１】
図２は、図１の切断線Ａ−Ａ’における要部断面図である。図２に示すように、ケース２内には、光源４が収納されている。光源４は、ケース２内で発光する。また、ケース２内には、導光部材５が設けられている。導光部材５は、導光板６及び導光板ホルダ７を有する。導光板６は、光源４が発する光を導光する。導光板６は、ケース２の発光部３に対応する位置に配置されている。光源４から発せられた光は、図２中、一点鎖線の矢印で示すように、導光板６を透過してケース２の発光部３からケース２の外部に出射する。
【００１２】
図３は、実施例にかかる導光部材の斜視図である。図４は、実施例にかかる導光板ホルダの斜視図である。図３には、導光板ホルダ７に導光板６が取り付けられた状態が示されている。図３及び図４に示すように、導光板ホルダ７には、導光板取り付け用開口部８が設けられている。導光板６は、導光板取り付け用開口部８に嵌め込まれることによって導光板ホルダ７に固定される。導光板ホルダ７に導光板６が固定されることによって、導光部材５に、光源４の光をケース２の発光部３へ導光する導光路が設けられる。導光板ホルダ７は、遮光性を有する。
【００１３】
実施例１によれば、ケース２に導光板６を固定するための部材を用いなくても、導光板ホルダ７に導光板６が固定された導光部材５をケース２に固定することによって、ケース２に導光板６を固定することができる。従って、ケース２に導光板６を固定するための部材を省略することができる。ケースに導光板を固定するための部材、及び導光板からの光の漏れを防ぐための部材とを別個に設けることによるケースの大型化を防ぐことができる。
【００１４】
（実施例２）
電子機器の一例として、例えば携帯電話機が挙げられる。図１及び図２に示すように、実施例２では、携帯電話機（電子機器１）は、特に限定しないが、例えば折りたたみ式の電話機であってもよい。
【００１５】
ケース２は、電話機本体１１にヒンジ部１２によって開閉可能に取り付けられている。折りたたみ時に電話機本体１１に相対峙する、ケース２の裏側の面には、メイン表示パネル１３が設けられている。ケース２の表側の面には、発光部３及びサブ表示パネル１４が設けられている。
【００１６】
メイン表示パネル１３及びサブ表示パネル１４には、文字や絵柄が表示される。電話機本体１１には、文字、数字及び記号などの入力用のキーが設けられていてもよい。あるいは、メイン表示パネル１３がタッチパネルになっており、ユーザがタッチパネルに触れることによって文字、数字及び記号などが入力されるようになっていてもよい。図２では、電話機本体１１の断面の詳細な構成は省略されている。図２において、導光部材５が固定される基板１５には、光源４及び電子部品１６が取り付けられている。光源４の一例として、例えばＬＥＤが挙げられる。
【００１７】
図３及び図４に示すように、導光板ホルダ７には、導光板取り付け用開口部８及びサブ表示パネル取り付け用開口部１７が設けられている。導光板取り付け用開口部８には、導光板６が取り付けられる。サブ表示パネル１４は、サブ表示パネル取り付け用開口部１７に嵌め込まれた状態で基板１５に取り付けられる。つまり、導光板ホルダ７は、サブ表示パネル１４の取り付け部材を兼ねている。
【００１８】
導光板６は、光の透過性を有する材料でできている。光の透過性を有する材料の一例として、例えば樹脂や硝子が挙げられる。導光板６の色は、光が透過できる色であれば、何色でもよいが、例えば無色透明であってもよい。導光板６の、ケース２の発光部３に対応する部分一部に、例えばシボ加工が施されていてもよい。そうすれば、導光板６を通ってきた光が導光板６から出射する際にシボ加工部分で散乱されるので、発光部３をより明るく光らせることができる。導光板ホルダ７は、例えば樹脂でできていてもよい。
【００１９】
図５は、実施例にかかる電子機器のケースを示す分解斜視図である。図５に示すように、ケース２は、ケース本体２１と外装パネル２２とが合わされてできている。外装パネル２２には、サブ表示パネル用の表示窓部２４及び発光部３が設けられている。図５には現れていないが、ケース本体２１には、メイン表示パネルが設けられている。基板１５、反射シート２３、導光板ホルダ７及び導光板６は、ケース本体２１と外装パネル２２との間に封入されている。
【００２０】
図６は、実施例にかかる電子機器の導光部材を取り外した状態を示す正面図である。図７は、実施例にかかる電子機器の導光部材を取り付けた状態を示す正面図である。図２及び図５〜図７に示すように、光源４は、導光板６の一辺に相対峙して配置されている。光源４は、導光板ホルダ７の下に配置されている。光源４の側方は、導光板６に臨む側を除いて導光板ホルダ７により囲まれている。
【００２１】
導光板ホルダ７は、遮光性を有していてもよい。例えば導光板ホルダ７は、透明でない材料でできていてもよいし、光が透過しないような色に着色されていてもよい。そうすれば、光源４の光が導光板ホルダ７によって遮られるので、光源４の光が周囲に漏れるのを防ぐことができる。
【００２２】
また、導光板ホルダ７は、光の反射性能を有していてもよい。例えば導光板ホルダ７は、光の反射率の高い材料でできていてもよいし、光の反射率が高くなるような色に着色されていてもよい。光の反射率が高くなるような色の一例として、例えば白色が挙げられる。そうすれば、光源４から発せられた光のうち、導光板６に向かわずに導光板ホルダ７へ向かった光が、導光板ホルダ７で反射されて導光板６に入射する。また、導光板６に入射し、導光板６を透過して導光板ホルダ７へ達した光が、導光板ホルダ７で反射されて再び導光板６に入射する。
【００２３】
導光板ホルダ７が遮光性及び光の反射性能の両方を有する場合には、導光板ホルダ７は、例えば透明でない白色の材料でできていたり、透明でない白色に着色されていてもよい。
【００２４】
各図には現れていないが、導光板ホルダ７の、基板１５に接する部分には、例えば基板１５への取り付け用の複数の凸部が設けられていてもよい。一方、図６に示すように、基板１５の、導光板ホルダ７に接する部分には、導光板ホルダ７の取り付け用の凹部もしくは穴２５が設けられている。基板１５の、導光板ホルダ７の取り付け用の凹部もしくは穴２５は、導光板ホルダ７の、基板１５への取り付け用の複数の凸部に対応する位置に設けられている。導光板ホルダ７の、基板１５への取り付け用の凸部が、基板１５の、導光板ホルダ７の取り付け用の凹部もしくは穴２５に挿入されることによって、導光板ホルダ７が基板１５の正しい位置に取り付けられる。
【００２５】
図５を参照しながら、ケース２の組み立て手順を説明する。まず、導光板ホルダ７の導光板取り付け用開口部８に導光板６を固定する。また、導光板ホルダ７の、導光板６の裏面に反射シート２３を貼り付ける。導光板ホルダ７に導光板６が固定されたものが導光部材５である。次いで、導光部材５を基板１５に取り付ける。基板１５に導光板ホルダ７を、接着剤や両面粘着テープを用いて固定してもよい。
【００２６】
次いで、導光板ホルダ７のサブ表示パネル取り付け用開口部１７にサブ表示パネル１４を嵌め込むようにして、基板１５にサブ表示パネル１４を取り付ける。サブ表示パネル取り付け用開口部１７にサブ表示パネル１４を嵌め込むことによって、サブ表示パネル１４が正しい位置に固定される。
【００２７】
次いで、ケース本体２１に基板１５を取り付ける。そして、ケース本体２１に外装パネル２２を取り付けることにより、ケース２ができあがる。なお、ケース本体２１に基板１５を取り付けてから、基板１５に導光部材５及びサブ表示パネル１４を取り付けてもよい。
【００２８】
実施例２によれば、実施例１と同様の効果が得られる。また、導光板ホルダ７が遮光性を有している場合には、光源４の光が周囲に漏れないので、ケース２に遮光マスキングを施さずに済む。また、導光板ホルダ７が光の反射性能を有している場合には、導光板６に入射する光の量が増えるので、ケース２の発光部３をより明るく光らせることができる。また、発光部３の形状が異なる外装パネル２２を用意しておき、ケース本体２１に取り付ける外装パネル２２を変更することによって、発光部３の形状が異なる携帯電話機を得ることができる。
【００２９】
なお、電子機器は、携帯電話機に限らず、パーソナルコンピュータ等の電子計算機や、携帯型音声録音再生機や、テレビ受像機等の家庭電化製品や、ゲーム機等の玩具など、ケース内部の光源の光によってケースの発光部が光るものであれば、いかなるものであってもよい。
【符号の説明】
【００３０】
１  電子機器
２  ケース
３  発光部
４  光源
５  導光部材
６  導光板
７  導光板ホルダ
１４  表示パネル
１５  基板
【図１】
0005691692.tif 000002
【図２】
0005691692.tif 000003
【図３】
0005691692.tif 000004
【図４】
0005691692.tif 000005
【図５】
0005691692.tif 000006
【図６】
0005691692.tif 000007
【図７】
0005691692.tif 000008